(57)【要約】【課題】レシート用紙の使用量を節約した印字にしても、レシートの印字内容の見易さを損なわない商品情報処理装置を提供する。【解決手段】レシート用紙に印字するレシートプリンタと、用紙の節約宣言を行う宣言手段と、商品に対する第１商品名および印字したときに前記第１商品名よりも小さくても認識しやすい文字からなる第２商品名と商品の金額を含む商品情報を取得する取得手段と、文字データを記憶する文字記憶エリアと、前記宣言手段による節約宣言がないときに前記第１商品名に対する文字データを、宣言手段による節約宣言がなされたときに第２商品名に対する文字データを前記文字記憶エリアから呼び出して、商品の金額情報とともに前記レシートプリンタで印字する印字制御手段とを有する商品情報処理装置とした。【選択図】図２
2013033341.tif 000002
【特許請求の範囲】
【請求項１】
レシート用紙に印字するレシートプリンタと、
用紙の節約宣言を行う宣言手段と、
商品に対する第１商品名および印字したときに前記第１商品名よりも小さくても認識しやすい文字からなる第２商品名と商品の金額を含む商品情報を取得する取得手段と、
文字データを記憶する文字記憶エリアと、
前記宣言手段による節約宣言がないときに前記第１商品名に対する文字データを、宣言手段による節約宣言がなされたときに第２商品名に対する文字データを前記文字記憶エリアから呼び出して、商品の金額情報とともに前記レシートプリンタで印字する印字制御手段と
を有する商品情報処理装置。
【請求項２】
第１商品名の文字は表意文字で形成され、前記第２商品名の文字は表意文字より小さくても認識しやすい表記文字で形成された
請求項１記載の商品情報処理装置。
【請求項３】
前記第１商品名は漢字を含む表意文字である
請求項２記載の商品情報処理装置。
【請求項４】
前記第２商品名はアルファベット、カタカナ、ひらがなのいずれかあるいはこれらの組み合わせからなる表記文字である
請求項２記載の商品情報処理装置。
【請求項５】
前記文字記憶エリアは、第１商品名を記憶する第１文字記憶エリアと、第２商品名を記憶する第２文字記憶エリアからなる
請求項１記載の商品情報処理装置。
【請求項６】
前記印字制御手段は、前記宣言手段はキーボードに設けた特定のキーである
請求項１記載の商品情報処理装置。
【発明の詳細な説明】
【技術分野】
【０００１】
本発明の実施形態は、レシート用紙に印字可能な商品情報処理装置に関する。
【背景技術】
【０００２】
客が店で商品を購入するときには、たとえばＰＯＳ端末で商品に付されたバーコードを読み取り、その商品の売り上げをレシート用紙に印字し、この印字されたレシート用紙を客に渡している。このレシート用紙には、店のロゴ、商品名とその単価、商品の合計金額、預かり金額、釣銭額などが印字される。
【０００３】
このようなＰＯＳ端末において、レシート用紙の削減（節約）を行いたいときには、行間を狭めて印字するものがある。
【先行技術文献】
【特許文献】
【０００４】
【特許文献１】特開平０５−１３８９５３号公報
【発明の概要】
【発明が解決しようとする課題】
【０００５】
レシートは、一般には長尺状のレシート用紙に必要な印字を行った後に、カッタでカットして排紙する。このため、行間を狭めることでレシート用紙の使用量は削減できる。しかし、行間を狭くすると印字内容が見にくくなることが多い。
【０００６】
そこで、レシート用紙の使用量を節約した印字にしても、レシートの印字内容の見易さを損なわない商品情報処理装置を提供する。
【課題を解決するための手段】
【０００７】
この実施の形態は、レシート用紙に印字するレシートプリンタと、用紙の節約宣言を行う宣言手段と、商品に対する第１商品名および印字したときに前記第１商品名よりも小さくても認識しやすい文字からなる第２商品名と商品の金額を含む商品情報を取得する取得手段と、文字データを記憶する文字記憶エリアと、前記宣言手段による節約宣言がないときに前記第１商品名に対する文字データを、宣言手段による節約宣言がなされたときに第２商品名に対する文字データを前記文字記憶エリアから呼び出して、商品の金額情報とともに前記レシートプリンタで印字する印字制御手段とを有する商品情報処理装置とした。
【図面の簡単な説明】
【０００８】
【図１】この実施の形態のＰＯＳ端末の斜視図。
【図２】このＰＯＳ端末の電気的接続を示すブロック図。
【図３】このＰＯＳ端末が行う処理を示す図。
【図４】レシートの印字例を示し、（ａ）は第１文字種で印字した図、（ｂ）は第２文字種で印字した図。
【発明を実施するための形態】
【０００９】
以下、図１ないし図４を用いて、商品情報処理装置を一実施の形態であるＰＯＳ端末を例にして説明する。
【００１０】
図１はこの実施の形態のＰＯＳ（Ｐｏｉｎｔ  ｏｆ  Ｓａｌｅｓ）端末の斜視図、図２はこのＰＯＳ端末の電気的接続を示すブロック図、図３はこのＰＯＳ端末が行う処理を示す図、図４はレシートの印字例を示す図である。
【００１１】
この実施の形態のＰＯＳ端末１は、たとえばコンビニエンスストアやスーパーマーケット等の店舗で用いられるものである。ＰＯＳ端末１は、表示機２、鍵スイッチ３および多数のキー４を備えたキーボード５、レシート排紙口６、バーコードリーダ７が設けられている。また、ＰＯＳ端末１の下部には現金などを収納するドロワ８が設けられている。表示機２は、バーコードリーダ７で読み取った商品のバーコードに対応する商品情報をサーバ９に問い合わせて、商品名や金額を表示する。鍵スイッチ３は、ＰＯＳ端末１を登録モードや設定モードなどに切り替えるためのものである。多数のキーの中には、テンキーなどの他に現計キー１０や用紙節約キー１１が設けられている。レシート排紙口６は、プリンタ１２で印刷されたレシートを排紙する。ドロワ８は内部に紙幣および硬貨を収納し、客が購入した商品のバーコード読取後にＰＯＳ端末１に預かり金額を入力し、現計キー１０が押されたならば開放される。
【００１２】
ＰＯＳ端末１のＣＰＵ（Ｃｅｎｔｒａｌ  Ｐｒｏｃｅｓｓｉｎｇ  Ｕｎｉｔ）１３には、ＲＯＭ（Ｒｅａｄ  Ｏｎｌｙ  Ｍｅｍｏｒｙ）１４、ＲＡＭ（Ｒａｎｄｏｍ  Ａｃｃｅｓｓ  Ｍｅｍｏｒｙ）１５、表示機２を制御する表示制御部１６、プリンタ１２を制御するプリンタ制御部１７、ドロワ８の開放を制御するドロワ制御部１８、ハードディスクドライブ装置（ＨＤＤ：Ｈａｒｄ  Ｄｉｓｋ  Ｄｒｉｖｅ）１９を制御するＨＤＤ（Ｈａｒｄ  Ｄｉｓｋ  Ｄｒｉｖｅ）制御部２０、バーコードリーダ７を制御するコードリーダ制御部２１、キーボード５の制御を行うキー制御部２２、サーバ９と通信回線２３を介して接続する通信インターフェース（通信Ｉ／Ｆ：Ｉｎｔｅｒｆａｃｅ）２４が、バスライン２５で接続されている。
【００１３】
ＲＯＭ１４には、漢字などのその文字が意味を持つことがある表意文字を文字コードに対応して記憶する第１文字記憶エリア２６と、表記文字であるアルファベットを文字コードに対応して記憶する第２文字記憶エリア２７とが設けられている。ＲＡＭ１５には、バーコードリーダで読み取ってサーバ９から取得した商品名や金額などの商品情報を記憶する販売バッファ２８とプリンタ１２で印字するためドットマトリクスに展開された画像イメージを記憶する印字バッファ２９とが設けられている。キーボード５には、前述したように多数のキーの中に現計キー１０と用紙節約キー１１が設けられている。サーバ９には、プライスルックアップメモリ内に、その商品の値段と、漢字とひらがななどからなる第１文字種である表意文字の第１商品名と、アルファベットなどからなる第２文字種である表記文字の第２商品名を持っている。なお、第1文字記憶エリア２６、第２文字記憶エリア２７に記憶される文字データは、ベクトル情報で文字が形成されるトゥルータイプのフォントのデータあって、各フォントのデータが文字コードに対応して記憶される。なお、文字データは、ビットマップ形式のフォントデータであってもよい。
【００１４】
ＰＯＳ端末１の処理を説明する。この処理は商品の販売を行う登録モードのときに行う処理で、鍵スイッチ３の位置によってＰＯＳ端末１を登録モードにすることでこの処理が始まる。まず、バーコードリーダ７で商品に付されたバーコードを読み取ったか否かを判断し（Ａｃｔ１）、バーコードを読み取ったならば、サーバ９から通信回線２３、通信Ｉ／Ｆ２４を介して商品名や金額などの商品情報を取得する（Ａｃｔ２）。この取り込んだ商品名や金額と個数から計算される金額を販売バッファ２８に書き込む（Ａｃｔ３）。また、Ａｃｔ１でバーコードが読み取られなかったら、キー入力があったか否かを判断し（Ａｃｔ４）、キー入力がなければ他の処理を行う（Ａｃｔ５）。他の処理とは、例えば磁気カードやＩＣカードの処理などである。Ａｃｔ４でキー入力があったならば、用紙節約キー１１が押されたか否かを判断し（Ａｃｔ６）、用紙節約キー１１であれば印字バッファ２９に書き込むための文字を第２文字記憶エリアから取り込むことを選択する（Ａｃｔ７）。また、Ａｃｔ６で用紙節約キーでない場合は、現計キー１０が押されたか否かを判断し（Ａｃｔ８）、現計キー１０でなければ他のキー処理を行う（Ａｃｔ９）。ここで他のキー処理とは、例えばテンキーを用いた預かり金額の入力である。Ａｃｔ８で現計キー１０が押されたならば、販売バッファ２８に記憶している商品の合計金額から釣銭を計算し（Ａｃｔ１０）、選択された文字記憶エリアで印字バッファ２９に画像データを書き込んで（Ａｃｔ１１）、ドロワ８を開放して（Ａｃｔ１２）、印字バッファに書き込んだ画像データによりレシート用紙にプリンタ１２で印字して（Ａｃｔ１３）処理を終了する。なお、初期状態において、レシートに印字する文字は第１文字記憶エリア２６を用いて印字バッファ２９にデータを書き込むようになっている。
【００１５】
この装置において、このＰＯＳ端末１を操作する店員は、まず鍵スイッチ３に鍵を差し込み、鍵を回して登録モードにする。すると、このＰＯＳ端末１は、商品の売り上げを計上できるようになる。
【００１６】
客が商品をＰＯＳ端末１に持ってくると、店員は商品に付されたバーコードをバーコードリーダ７で読み取る。ＰＯＳ端末１は、読み取ったバーコードに基づいてサーバ９に商品情報を問い合わせる。サーバ９は、その問い合わせを受けた商品名、単価などの商品情報をＰＯＳ端末１に返す。商品名には、漢字およびひらがななどからなる第１文字種の文字記憶エリアの文字コードと、アルファベットからなる第２文字種の文字記憶エリアの文字コードが含まれている。そして、サーバ９から送られてきた商品情報を販売バッファ２８に書き込む。また、サーバから受けた商品名と値段を第１文字種で表示機２に表示する。客が複数の商品を買う場合には、さらにバーコードリーダで商品のバーコードを読み取る。ＰＯＳ端末１は、商品の金額の合計を表示機に表示する。
【００１７】
すべての商品のバーコードの読み取りが終わると、店員は小計キーを押して客から支払い金額を受け取る。店員は、受け取った金額（預かり金額）をキー４のテンキーを用いてＰＯＳ端末１に入力して現計キー１０を押すと、ＰＯＳ端末１は釣銭金額を計算して表示機２に表示する。ＰＯＳ端末１は、初期状態で指定される第１文字種の文字を第１文字記憶エリア２６から読み出して、印字バッファ２９に印字する画像を形成する。そして、ＰＯＳ端末１はドロワ８を開放して、プリンタ１２で印字を開始する。店員は、受け取った金額に対する釣銭を準備して、レシート排紙口６から排紙されたレシートを釣銭とともに客に渡す。このレシート用紙は、図４（ａ）に示すように、店のロゴ４２、印字した日付と時間４３、商品の金額を領収したことを表す文面４４、レシート４０を印字したＰＯＳ端末の番号や商品情報を入力した責任者などの店側情報４５が印字される。また、客が買った商品名とその金額（この例では、４つの商品）４６と、小計、消費税、預かり金額、釣銭からなる項目４７とが、１行ごとに第１文字種で印字される。
【００１８】
なお、ロゴ４２は、前の客に渡すレシートを切断するためレシート用紙をカッタ位置まで搬送する間に、次の客に渡すためのレシートに印字するものでる。
【００１９】
ところで、レシート用紙には、レシート用紙の残りが少なくなったことがわかるように、例えばレシート用紙の側端部に色をつけてある。店員はレシート用紙の残りが少なくなると、通常レシート用紙の交換を行う。しかし、レジ待ちの客が多く並んでいる場合には、レシート用紙の交換を行わずに売り上げ処理（客の対応）を続けることがある。そこで、このような場合に店員は、用紙節約キー１１を押して用紙節約の宣言を行う。用紙節約キー１１が押されると、印字バッファ２９に書き込む文字が文字フォントの大きさが小さくても判読しやすい表記文字であるアルファベット（ローマ字）で行われる。つまり、ＰＯＳ端末１は印字バッファ２９に画像データ書き込むときに、商品情報と第２文字記憶エリア２７から文字フォントを読み出すように設定する。そして、現計キー１０が押された後の印字バッファ２９への描画の際に、第２文字記憶エリア２７から品名に対応する文字フォントを読み出す。また、項目についても、第２文字記憶エリア２８から文字フォントを読み出す。このようにして読み出された第２文字種の文字フォントで印字バッファ２９に画像データが展開されるので、商品情報と項目は第２文字種の文字フォントでレシート用紙に印字が行われる。
【００２０】
図４（ｂ）は第２文字種で印字した節約レシート４１を示す。節約レシート４１には、通常レシート４０と同じように店のロゴ４２、印字した日付と時間４３、商品の金額を領収したことを表す文面４４、店側情報４５が印字される。また、節約レシート４１には、客が買った商品名とその金額（この例では、４つの商品）４８と、小計、消費税、預かり金額、釣銭からなる項目４９とが、１行ごとに通常レシート４０とは異なる第２文字種であるアルファベット（ローマ字）で印字される。例えば、通常レシートでは４行目の商品名に「豚肉」と印字されているものを、節約レシート４１では通常レシートの文字の大きさよりも少し小さいアルファベットで「ｂｕｔａｎｉｋｕ」と書かれているが、文字の読み易さはあまり変わらない。
【００２１】
レシート用紙には、できるだけレシートを読みやすくするため、漢字などを交えた表意文字を用いて印刷している。しかしながら、漢字などの表意文字は画数が多くいので、字体（文字フォント）を小さくすると一般的に読みにくくなる。そこで、この実施の形態では、サーバ９のプライスルックアップメモリに商品名を第１文字種と第２文字種の二つの文字種のキャラクタコードで記憶しておき、ＰＯＳ端末１からの問い合わせに応じた商品情報をサーバ９から返答するときに、第１文字種と第２文字種の両方の商品名のキャラクタコードをＰＯＳ端末１に送る。そして、店員は、レシート用紙の残りが少なくなってきたことを認識したならば、用紙節約キー１１を押して用紙の節約宣言を行い、文字が小さくても読むことが比較的容易なアルファベットを用いた印字をするようにする。
【００２２】
このようにすれば、通常の状態では、商品名などを漢字が含まれる表意文字で印字して、人が認識しやすいレシート４０を作成することができる。また、用紙節約キー１１を押すと、レシート用紙に印字する印字バッファ２９に、行間が狭くても文字の大きさが小さくても見やすい表記文字を用いてイメージを展開する。そして、この表記文字で展開したイメージで用紙に印字するため、図４（ｂ）に示すように字自体が潰れることなく読めるレシートを印字することが可能である。
【００２３】
この実施の形態では、第２の商品名を表記文字であるアルファベットで印字するものを示したが、カタカナやひらがなであっても、アルファベット、カタカナ、ひらがなを組み合わせて印字するようにしても良い。また、プリンタ１２にセットしたレシート用紙の終了が近くなったセンサ（ニアエンドセンサ）を設け、このセンサでニアエンドを検出し時に用紙節約の宣言として、レシート用紙へ表記文字で印字するようにしてもよい。また、ＰＯＳ端末１に限らず、商品情報を端末内部に有する電子キャッシュレジスタなどの、商品情報をレシート用紙に印字する装置であれば適用できる。
【００２４】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１・・ＰＯＳ端末
１１・・用紙節約キー
１２・・プリンタ
２６・・第１文字記憶エリア
２７・・第２文字記憶エリア
２９・・印字バッファ
【図１】
2013033341.tif 000003
【図２】
2013033341.tif 000004
【図３】
2013033341.tif 000005
【図４】
2013033341.tif 000006